(57)【要約】【課題】遊技領域を分割する変更手段を設けた斬新な遊技機を提供する。【解決手段】遊技領域１２の各所に複数の入賞装置２１，２２を設けるとともに略中央に一組の回動部材２０ａからなる変更手段を設け、第１入賞装置２１の表示遊技により変更手段の開閉を行い、第２入賞装置への遊技球の入賞により表示遊技を行い、大入賞口３０によって賞球を行うこととした。直接第２入賞装置への入賞をさせないために、併せて障害手段を配設した。【選択図】図１
2016107029.tif 000002
【特許請求の範囲】
【請求項１】
遊技領域の各所に可変表示部を備えた入賞装置を複数配設した遊技機において、
前記遊技領域の略上方を第１遊技領域、略下方を第２遊技領域、前記第１遊技領域と前記第２遊技領域の中間の領域を接続領域とするとともに、
前記入賞装置のうち前記第１遊技領域に備えたものを第１入賞装置、前記入賞装置のうち前記第２遊技領域に備えたものを第２入賞装置とし、
前記接続領域には、該接続領域を流下する遊技球を、前記第２遊技領域に又は前記第２遊技領域以外の領域に流下させるかを変更可能な変更手段を設け、
前記第２入賞装置には、前記接続領域を通過しない遊技球の入賞を困難にするための障害手段を設け、
前記第１入賞装置に遊技球が入賞した場合には、該第１入賞装置の前記可変表示部の変動表示を開始し、変動表示の結果予め定められた特定の表示態様に確定した場合には、前記変更手段を遊技球を第２遊技領域に流下させるように変更し、
前記第２入賞装置に遊技球が入賞した場合には、該第２入賞装置の前記可変表示部の変動表示を開始し、変動表示の結果予め定められた特定の表示態様に確定した場合には、大入賞口の開動作によって賞球の付与を行うことを特徴とする遊技機。
【請求項２】
前記第２入賞装置の可変表示部は縦方向に複数表示部を設けたものであることを特徴とする請求項１に記載の遊技機。
【請求項３】
前記変更手段は、一支点を軸に回動する回動部材を左右に一組設け、該回動部材を前記第１入賞装置の前記可変表示部における変動表示の結果確定した特定の表示態様に対応して設定された所定の角度回動させることを特徴とする請求項１または２に記載の遊技機。
【請求項４】
前記変更手段は、左右に亘る一組の前記回動部材を上下に２段又は３段配設したものであり、前記第１入賞装置の前記可変表示部における変動表示の結果確定した特定の表示態様に対応して設定された所定の角度回動させることを特徴とする請求項１，２または３に記載の遊技機。
【請求項５】
前記障害手段は、障害釘によるものであることを特徴とする請求項１，２，３または４に記載の遊技機。
【請求項６】
前記障害手段は、複数の第２入賞装置に共通に設けたもの又は複数の第２入賞装置のうち第２入賞装置毎に分割して設けたものであることを特徴とする請求項１，２，３，４または５に記載の遊技機。
【発明の詳細な説明】
【技術分野】
【０００１】  本発明は、遊技領域の各所に可変表示部を備えた入賞装置を複数配設した遊技機に関する。
【背景技術】
【０００２】  従来、遊技機の代表的な種別として、「フィーバー機」，「羽根物」「権利物」と言われるものが存在する。第１種パチンコ機である「フィーバー機」では、遊技盤上に開設された始動入賞口に遊技球が入賞すると、第１種役物装置である液晶画面等から成る表示装置に各種図柄がスクロール表示される。そして、スクロール停止後の図柄の組み合わせが大当たりに相当すると、特賞（いわゆるフィーバー）が発生して、大口入賞口が所定回数を限度に繰り返し開閉するように設定されている。【０００３】  第２種パチンコ機である「羽根物」では、同じく始動入賞口に遊技球が入賞すると、第２種役物装置である一対の可動片を備えた可変入賞装置の可動片が開状態となり、１０個等と所定数の遊技球が可変入賞装置の内部にある入賞口に取り込まれた時点で可動片を閉じるようになっている。また、可動片が開いている間に取り込まれた遊技球が入賞口内の一部に設けられたＶゾーンと呼ばれる特定領域に入賞すると、可動片が所定の最大回数を限度に再度、開放されるようになっている。【０００４】  第３種パチンコ機である「権利物」では、遊技球が始動ゲートを通過すると図柄表示装置で可変表示が実行され、その表示結果が大当たり表示の時、特定入球装置を所定時間を経過するまで開放状態に作動させ、この特定入球装置の開状態中には遊技球が通称Ｖゾーンと呼ばれる特定領域に入賞すれば、大当たり権利が発生する。そして、大当たり遊技の発生中に遊技領域の右側に設けた回転する第３種始動口に遊技球が入賞すれば、大入賞口が開閉するようになっている。
【先行技術文献】
【特許文献】
【０００５】
【特許文献１】特開２００２−１５３６３９号公報
【特許文献２】特開平１１−１９２９２号公報
【特許文献３】特開２００４−２６７４７９号公報
【発明の概要】
【発明が解決しようとする課題】
【０００６】  しかしながら、前述した従来の遊技機では、第１種パチンコ機、第２種パチンコ機、それに第３種パチンコ機は、登場から永きに亘って提供されているため、どうしても機種ごとに遊技方法が類型化してしまい、遊技内容がマンネリ化して新鮮味に欠けてしまうという問題があった。【０００７】  また、主要な遊技機の機種である第１種遊技機は、特に大型液晶画面を使用することから遊技機の価格が高騰しているという問題点もあった。さらに、障害釘と風車等による遊技球の流下態様が単純に変化するのみの遊技には限界もあった。【０００８】  本発明は、上記の事情に鑑み、変更手段および障害手段を遊技盤面に配設することにより、遊技に段階を設けて緊迫感を持たせ、また、遊技盤面の構成を新鮮なものとし、飽きの来ない遊技の興趣を高めた遊技機を提供することを目的としている。
【課題を解決するための手段】
【０００９】  前述した目的を達成するための本発明の要旨とするところは、以下の各項の発明に存する。
［１］遊技領域（１２）の各所に可変表示部（２１ｂ，２２ｂ）を備えた入賞装置（２１，２２）を複数配設した遊技機（１０）において、
前記遊技領域（１２）の略上方を第１遊技領域（１２Ａ）、略下方を第２遊技領域（１２Ｂ）、前記第１遊技領域（１２Ａ）と前記第２遊技領域（１２Ｂ）の中間の領域を接続領域（１２Ｃ）とするとともに、
前記入賞装置（２１，２２）のうち前記第１遊技領域（１２Ａ）に備えたものを第１入賞装置（２１）、前記入賞装置（２１，２２）のうち前記第２遊技領域（１２Ｂ）に備えたものを第２入賞装置（２２）とし、
前記接続領域（１２Ｃ）には、該接続領域（１２Ｃ）を流下する遊技球を、前記第２遊技領域（１２Ｂ）に又は前記第２遊技領域（１２Ｂ）以外の領域に流下させるかを変更可能な変更手段（２０）を設け、
前記第２入賞装置（２２）には、前記接続領域（１２Ｃ）を通過しない遊技球の入賞を困難にするための障害手段（２５）を設け、
前記第１入賞装置（２１）に遊技球が入賞した場合には、該第１入賞装置（２１）の前記可変表示部（２１ｂ）の変動表示を開始し、変動表示の結果予め定められた特定の表示態様に確定した場合には、前記変更手段（２０）を遊技球を第２遊技領域（１２Ｂ）に流下させるように変更し、
前記第２入賞装置（２２）に遊技球が入賞した場合には、該第２入賞装置（２２）の前記可変表示部（２２ｂ）の変動表示を開始し、変動表示の結果予め定められた特定の表示態様に確定した場合には、大入賞口（３０）の開動作によって賞球の付与を行うことを特徴とする遊技機（１０）。【００１０】  ［２］前記第２入賞装置（２２）の可変表示部（２２ｂ）は縦方向に複数表示部を設けたものであることを特徴とする［１］に記載の遊技機（１０）。【００１１】  ［３］前記変更手段（２０）は、一支点を軸に回動する回動部材を左右に一組設け、該回動部材を前記第１入賞装置（２１）の前記可変表示部（２１ｂ）における変動表示の結果確定した特定の表示態様に対応して設定された所定の角度回動させることを特徴とする［１］または［２］に記載の遊技機（１０）。【００１２】  ［４］前記変更手段（２０）は、左右に亘る一組の前記回動部材を上下に２段又は３段配設したものであり、前記第１入賞装置（２１）の前記可変表示部（２１ｂ）における変動表示の結果確定した特定の表示態様に対応して設定された所定の角度回動させることを特徴とする［１］，［２］または［３］に記載の遊技機（１０Ａ）。【００１３】  ［５］前記障害手段（２５）は、障害釘によるものであることを特徴とする［１］，［２］，［３］または［４］に記載の遊技機（１０，１０Ａ）。【００１４】  ［６］前記障害手段（２５）は、複数の第２入賞装置（２２）に共通に設けたもの又は複数の第２入賞装置（２２）のうち個々の第２入賞装置毎に分割して設けたものであることを特徴とする［１］，［２］，［３］，［４］または［５］に記載の遊技機（１０，１０Ａ）。【００１５】  前記本発明は、次のように作用する。
前記［１］〜［３］，［５］，［６］に記載の遊技機（１０）によれば、遊技領域（１２）の各所に入賞口（２１ａ，２２ａ）に可変入賞部（２１ｂ，２２ｂ）を備えた入賞装置（２１，２２）が配設される。遊技領域（１２）は、その上方を第１遊技領域（１２Ａ），その下方を第２遊技領域（１２Ｂ）とする一方、第１・第２の遊技領域（１２Ａ，１２Ｂ）の中間の領域を接続領域（１２Ｃ）としている。【００１６】  ここで、入賞装置（２１，２２）は、第１遊技領域（１２Ａ）に配設したものを第１入賞装置（２１）、第２遊技領域（１２Ｂ）に配設したものを第２入賞装置（２２）とする。可変入賞部（２１ｂ，２２ｂ）は、単数ないし複数の表示部により構成されるが、ここでは、第１入賞装置（２１）に関しては単数、第２入賞装置（２２）に関しては複数備えたものとして説明する。【００１７】  また、遊技領域（１２）における、遊技領域（１２）の一部分である第１遊技領域（１２Ａ）、第２遊技領域（１２Ｂ）、接続領域（１２Ｃ）は、おおよそ第１・第２の遊技領域が上下の位置関係に区分けされる一方、接続領域は、第１・第２の遊技領域（１２Ａ，１２Ｂ）の間ないし囲まれた領域であり、第１遊技領域（１２Ａ）を流下する遊技球が連続的に接続領域（１２Ｃ）、第２遊技領域（１２Ｂ）を通過することができる。【００１８】  接続領域（１２Ｃ）には、変更手段（２０）が配設される。変更手段（２０）は、本遊技機（１０，１０Ａ）の主要な部分を構成する部位であり、第１遊技領域（１２Ａ）から接続領域（１２Ｃ）に流下してきた遊技球を、第２遊技領域（１２Ｂ）には流下させずに第２遊技領域（１２Ｂ）以外の、特に第２入賞装置（２２）が配設されない遊技領域へと流下させる通常位置と、第１遊技領域（１２Ａ）ないし接続領域（１２Ｃ）の下方の第２遊技領域（１２Ｂ）へと流下させる開放位置とに変位可能に構成される。【００１９】  第２遊技領域（１２Ｂ）に配設される第２入賞装置（２２）の近傍には、接続領域（１２Ｃ）を通過しない遊技球を第２入賞装置（２２）への遊技球の入賞を困難にする障害手段（２５）が設けられる。通常は、接続領域（１２Ｃ）を通過した遊技球には障害とはならない、第２入賞装置（２２）の入賞口（２２ｂ）の略上方に配置される。【００２０】  複数の第２入賞装置（２２）がある場合、これら複数の第２入賞装置（２２）に共通して障害手段を設けても良いし、個々の第２入賞装置（２２）毎に設けても良い。また、障害手段（２５）は、障害釘によって構成することができる。上述の如く連続して複数の第２入賞装置（２２）の上方に設けてもよいし、個々の第２入賞装置（２２）の上方にそれぞれ設けてもよい。いずれにしても、上方からの接続領域（１２Ｃ）を通らないで流下する遊技球の入賞を困難にすることができる。【００２１】  変更手段（２０）はより具体的には、１支点を軸として回動する回動部材（２０ａ）が左右に亘って配置される。回動部材（２０ａ）が回動することにより、通常位置の閉状態においては、上方の第１領域（１２Ａ）から流下する遊技球は、左右に弾かれて、下方の第２遊技領域（１２Ｂ）、特に第２入賞装置（２２）の配設されない領域へ誘導される一方、開放位置の開状態においては、第２遊技領域（１２Ｂ）に誘導される。【００２２】  また、変更手段（２０）の変位は、閉状態と開状態だけでなく、より細かく設定しても良い。後述する第１入賞装置（２１）の表示遊技に対応して、開放の度合いを変化させることにより、下方の遊技領域（１２Ｂ）への遊技球の流下のし易さをコントロールすることができる。【００２３】  遊技者により適宜所望の打ち出し速度により、遊技領域（１２）に打ち出された遊技球は、天釘等の遊技領域（１２）の最上方の部位に衝突し左右に散乱して、下方に落下する。第１遊技領域（１２Ａ）の各所に配設された第１入賞装置（２１）に遊技球が入賞すると一体に備えられた可変表示部（２１ｂ）の変動表示が開始される。各種表示態様の変動表示の結果、予め定められた特定の表示態様（図柄）に確定した場合は、その表示態様に対応して、接続領域（１２Ｃ）に設けられた変更手段（２０）の位置を開放位置へと変化させる。前述したように、特定の表示態様を複数設定して、それぞれに対応して開放度合いを異ならせてもよい。【００２４】  回動部材（２０ａ）が表示遊技の結果所定の角度に回動して開放位置にある場合、遊技球が接続領域（１２Ｃ）を通過して、その下方の第２遊技領域（１２Ｂ）に達する一方、閉鎖位置にある場合には、遊技球は、変更手段（２０）の回動部材（２０ａ）および障害手段（２５）により、第２遊技領域（１２Ｂ）の特に第２入賞装置（２２）には、入賞することは困難となるように構成される。【００２５】  第２入賞装置（２２）に遊技球が入賞すると、前述の第１入賞装置（２１）の場合と同様に、一体に備えられた可変表示部（２２ｂ）において、変動表示が開始される。各種表示態様の変動表示の結果、予め定められた特定の表示態様に確定した場合は、その特定の表示態様に対応して、遊技領域（１２）に設けられた大入賞口（３０）の開動作をすることにより賞球が行われる。【００２６】  複数の表示部により縦設して設けられた可変表示部（２２ｂ）においては、可変表示部（２２ｂ）を構成する一連の複数の表示部より遊技球が入賞することにより、表示遊技が演出される。遊技球が１回入賞する毎に１つの表示部毎に表示態様を確定させても良いし、１回入賞すると一連のすべての表示部を連続して表示態様を確定するように構成しても良い。【００２７】  以上に述べた遊技機により、遊技に段階が加えられて、各段階において特殊な演出することとなり、また、遊技に緊迫感を持たせることにもなり、飽きのこない遊技機を提供することができる。【００２８】  前記［４］に記載の遊技機（１０Ａ）によれば、前記変更手段（２０）の左右に亘る一組の前記回動部材（２０ａ）を上下に２段又は３段配設したものであり、前記第１入賞装置（２１）の前記可変表示部（２１ｂ）における変動表示の結果確定した特定の表示態様に対応して設定された所定の角度回動させる。これにより、流下する遊技球の流下速度、流下方向を変更し、スピード感を増すとともに、第２入賞装置（２２）の入賞口（２２ａ）の方向へ誘導される。
【発明の効果】
【００２９】  本発明に係る遊技機によれば、従来の遊技機に代わる斬新な遊技機として、遊技に段階が加えられて、各段階において特殊な演出することとなり、また、遊技に緊迫感を持たせることにもなり、飽きのこない遊技機を提供して遊技者の興趣を高めることができる。
【図面の簡単な説明】
【００３０】
【図１】  本発明の第１実施の形態に係る遊技機を示す正面図である。
【図２】  本発明の第１実施の形態に係る遊技機の別の例を示す正面図である。
【図３】  本発明の第１実施の形態に係る遊技機の別の例を示す正面図である。
【図４】  本発明の第１実施の形態に係る遊技機の別の例を示す正面図である。
【図５】  本発明の第１実施の形態に係る遊技機の別の例を示す正面図である。
【図６】  本発明の第１実施の形態に係る遊技機の別の例を示す正面図である。
【図７】  本発明の第２実施の形態に係る遊技機を示す正面図である。
【図８】  本発明の第２実施の形態に係る遊技機の別の例を示す正面図である。
【図９】  本発明の第２実施の形態に係る遊技機の別の例を示す正面図である。
【発明を実施するための形態】
【００３１】  以下、図面に基づき、本発明を代表する各種実施の形態を説明する。
図１〜図６は、本発明の実施の形態に係る遊技機１０を示している。
遊技機１０は、遊技盤面１１上の遊技領域１２上に遊技球を打ち出して遊技を行うパチンコ機である。遊技機１０は、打ち出された遊技球が落下して遊技を進行させる役物等が取り付けられた遊技領域１２と、該遊技領域１２の正面を覆うガラスを固定するガラス枠等を有している。
【００３２】  ガラス枠には、装飾装置であるランプ・ＬＥＤ等が組み付けられている。また、ガラス枠の下方には、遊技球である貸球や賞球を貯留する上皿１４、上皿１４から溢れた遊技球を貯留する下皿１５、遊技者が遊技球の打ち出し操作を行うハンドル１６等が設けられている。なお、図示省略したが遊技機１０には、有価価値カードの挿入により遊技球を貸し出すためのカードユニット（ＣＲ球貸機）が付設されている。
【００３３】  遊技領域１２の正面視において左側端縁を区画する位置には、前記ハンドル１６の回転操作により打ち出された遊技球を遊技領域１２の上方へ導くための外レールが設けられている。遊技領域１２には、前記外レールより放出された遊技球が落下する経路に変化を与えるための天釘を含む遊技釘、図１に示すように、遊技領域１２の上方には４機の可変表示部２１ｂを備えた第１入賞装置２１が左右に並ぶように、中央よりの２基をやや上方に位置させた台形状に配置されている。
【００３４】  また、遊技領域１２の矢や下方には同じく可変表示部２２ｂを備えた第２入賞装置２２が左右に亘って７機並ぶように配設されている。なお、第２入賞装置２２の可変入賞部２２ｂは表示部を縦方向に複数縦設したものである。
【００３５】  また、遊技領域１２の略中央であり、第１入賞装置２１および第２入賞装置２２がそれぞれ配設されている領域である第１遊技領域１２Ａと第２遊技領域１２Ｂの中間乃至囲まれている領域には、左右に亘って１対の回動部材２０ａからなる変更手段２０が配設されている。さらに変更手段２０の下方には流下する遊技球を左右に散らすための流下方向変更体２６が、左右に並ぶ第２入賞装置２２の下方には大入賞口３０が、さらに遊技盤面１１の最下にはいずれの入賞装置にも入らずに落下した遊技球を排出するためのアウト球口１３が配設されている。
【００３６】  加えて、遊技機１０には、遊技全体の制御を行う制御手段が設けられている。かかる制御手段は、図示省略したがインターフェース、ＣＰＵ、ＲＡＭ、ＲＯＭ等から構成されたマイクロコンピューターから成る。制御手段は、メイン役物装置２０や始動入賞装置３５等の入賞装置や表示遊技、特別遊技状態を制御する等の様々な機能を有している。ここで、制御手段は各種入賞口に遊技球が入賞した際に賞出信号を機内部にある計数機に出力して、各種入賞口ごとに予め割り当てられている所定数の遊技球を計数機から上皿１４に払い出させるように構成してもよい。
【００３７】  次に、本発明の根幹を成す遊技領域１２に配設される役物等の構成を説明する。
前述のように遊技領域１２の各所に入賞口２１ａ，２２ａに可変入賞部２１ｂ，２２ｂを備えた入賞装置２１，２２が配設される。ここで、遊技領域１２は、その上方を第１遊技領域１２Ａ，その下方を第２遊技領域１２Ｂとする一方、第１・第２の遊技領域１２Ａ，１２Ｂの中間の領域を接続領域１２Ｃとしている。ここで述べられる領域とは遊技盤面１１上に展開される遊技領域１２を区画されるおおよその領域であって、厳密に境界があったり、排他的に領域を成すことを意味しない。
【００３８】  遊技の進展として、上方の第１遊技領域１２Ａ、中ほどの接続領域１２Ｃ、下方の第２遊技領域１２Ｂの順でなされるものであり、特に第１遊技領域１２Ａ，第２遊技領域１２Ｂで、入賞口に入賞なかった遊技球は各遊技領域を通過しつつも遊技には係らずにアウト球となるものである。
【００３９】  ここで、入賞装置２１，２２は、第１遊技領域１２Ａに配設したものを第１入賞装置２１、第２遊技領域１２Ｂに配設したものを第２入賞装置２２とする。可変入賞部２１ｂ，２２ｂは、単数または複数の表示部により構成されるが、図１に示す遊技機にあるように、第１入賞装置２１に関しては単数、第２入賞装置２２に関しては複数縦方向に縦設して備えている。
【００４０】  さらに、接続領域１２Ｃには、変更手段２０が配設される。変更手段２０は、本実施の形態に係る遊技機１０，１０Ａの主要な部分を構成する部位であり、第１遊技領域１２Ａから接続領域１２Ｃに流下してきた遊技球を、第２遊技領域１２Ｂには流下させずに第２遊技領域１２Ｂ以外の特に、第２入賞装置２２が配設されない遊技領域へと流下させる通常位置と、第１遊技領域１２Ａないし接続領域１２Ｃの下方の第２遊技領域１２Ｂへと流下させる開放位置とに変位可能に構成される。
【００４１】  加えて、第２遊技領域１２Ｂに配設される第２入賞装置２２の近傍には、接続領域１２Ｃを通過しない遊技球を第２入賞装置２２への遊技球の入賞を困難にする障害手段２５が設けられる。図１〜図３に示すように、接続領域１２Ｃを通過した遊技球が第２入賞装置２２の入賞口２２ａに入賞するのには障害とはならない、第２入賞装置２２の入賞口２２ｂの略上方に配置される。
【００４２】  複数の第２入賞装置２２がある場合、これら複数の第２入賞装置２２に共通して一連の連続する障害釘として障害手段２５を設けても良いし、図５，図６に示すように、個々の第２入賞装置２２毎に設けても良い。また、適宜所望の配置によって障害手段２０を設けて第２入賞装置への遊技球の困難さが設定される。
【００４３】  変更手段２０は、より具体的には、１支点を軸として回動する回動部材２０ａが左右に亘って配置される。通常位置の閉状態においては、上方の第１遊技領域１２Ａから流下する遊技球は、左右に弾かれて、下方の第２遊技領域１２Ｂ、特に第２入賞装置２２の配設されない領域へ誘導される一方、開放位置の開状態においては、第２遊技領域１２Ｂに誘導される。図１に示すように、回動部材２０ａの回動軸は外周側にあって上方向に開く構成としても良いし、図２に示すように中心側にあって上下に開くようにしても良い。
【００４４】  また、図３に示すように、回動部材２０ａをやや長めにして、回動中心をその略中間にしてもよい。いずれにしても、その開放度合いと回動部材２０ａを向ける向きによって下方の第２遊技領域１２Ｂにおける第２入賞装置２２への入賞のし易さが設定される。
【００４５】  また、変更手段２０の変位は、閉状態と開状態だけでなく、より細かく設定しても良い。後述する第１入賞装置２１の表示遊技に対応して、開放の度合いを変化させることにより、下方の遊技領域１２Ｂへの遊技球の流下のし易さをコントロールすることができる。
【００４６】  次に、遊技機１０の作用を説明する。
遊技者により適宜所望の打ち出し速度により、遊技領域１２に打ち出された遊技球は、天釘等の遊技領域１２の最上方の部位に衝突し左右に散乱して、下方に落下する。第１遊技領域１２Ａの各所に配設された第１入賞装置２１に遊技球が入賞すると一体に備えられた可変表示部２１ｂの変動表示が開始される。
【００４７】  各種表示態様の変動表示の結果、予め定められた特定の表示態様（図柄）に確定した場合は、その表示態様に対応して、接続領域１２Ｃに設けられた変更手段２０の位置を開放位置へと変化させる。前述したように、特定の表示態様を複数設定して、それぞれに対応して開放度合いを異ならせてもよい。
【００４８】  回動部材２０ａが表示遊技の結果所定の角度に回動して開放位置にある場合、遊技球が接続領域１２Ｃを通過して、その下方の第２遊技領域１２Ｂに達する一方、閉鎖位置にある場合には、遊技球は、障害手段２５により、第２遊技領域１２Ｂの特に第２入賞装置２２には、入賞することは困難となるように構成される。
【００４９】  第２入賞装置２２に遊技球が入賞すると、前述の第１入賞装置２１の場合と同様に、一体に備えられた可変表示部２２ｂにおいて、変動表示が開始される。各種表示態様の変動表示の結果、予め定められた特定の表示態様に確定した場合は、その特定の表示態様に対応して、遊技領域１２に設けられた大入賞口３０の開動作をすることにより賞球が行われる。
【００５０】  複数の表示部により縦設して設けられた可変表示部２２ｂにおいては、可変表示部２２ｂを構成する一連の複数の表示部より遊技球が入賞することにより、表示遊技が演出される。遊技球が１回入賞する毎に１つの表示部毎に表示態様を確定させても良いし、１回入賞すると一連のすべての表示部を連続して表示態様を確定するように構成しても良い。
【００５１】  以上に述べた遊技機により、遊技に段階が加えられて、各段階において特殊な演出することとなり、また、遊技に緊迫感を持たせることにもなり、飽きのこない遊技機を提供することができる。
【００５２】  図７から図９は、本発明の第２実施の形態に係る遊技機１０Ａを示している。なお、前述した第１実施の形態に係る遊技機１０と共通する構成については記載を省略する。本実施の形態に係る遊技機１０Ａは、前記変更手段２０の左右に亘る一組の前記回動部材２０ａを上下に２段又は３段配設したものであり、第１入賞装置２１の前記可変表示部２１ｂにおける変動表示の結果確定した特定の表示態様に対応して設定された所定の角度回動させる。
【００５３】  これにより、流下する遊技球の流下速度、流下方向を変更し、スピード感を増すとともに、第２入賞装置２２の入賞口２２ａの方向へ誘導される。また、複数の第２入賞装置２２がある場合には、特定の第２入賞装置２２の方向に誘導路を形成し誘導することができる。
【００５４】  以上、本発明の実施の形態を図面によって説明してきたが、具体的な構成はこれらの実施の形態に限られるものではなく、本発明の要旨を逸脱しない範囲における変更や追加があっても本発明に含まれる。
【産業上の利用可能性】
【００５５】  本発明に係る遊技機はパチンコ機に限らず、プログラム制御されるスマートボールゲーム機、アレンジボールゲーム機といった他の遊技機にも同様に適用することができる。
【符号の説明】
【００５６】１０…遊技機
１０Ａ…遊技機
１１…遊技盤面
１２…遊技領域
１２Ａ…第１遊技領城
１２Ｂ…第２遊技領域
１３…アウト球口
１４…上皿
１５…下皿
１６…ハンドル
２０…変更手段
２０ａ…回動手段
２１…第１入賞装置
２１ａ…入賞口
２１ｂ…可変表示部
２２…第２入賞装置
２２ａ…入賞口
２２ｂ…可変表示部
２５…障害手段（障害釘）
２６…流下方向変更体
３０…大入賞口
【図１】
2016107029.tif 000003
【図２】
2016107029.tif 000004
【図３】
2016107029.tif 000005
【図４】
2016107029.tif 000006
【図５】
2016107029.tif 000007
【図６】
2016107029.tif 000008
【図７】
2016107029.tif 000009
【図８】
2016107029.tif 000010
【図９】
2016107029.tif 000011